(57)【要約】【課題】スラリーからのガスを確実に抜くことができ、貯留槽上面側を覆う雨水分離シートが膨らんでしまうことを防止できる家畜糞尿貯留施設の提供。【解決手段】家畜糞尿貯留施設１における貯留槽本体３の上面側を覆う雨水分離シート４にガス抜き口７を設けて、スラリー２の貯留空間５に大量のガスが溜まり雨水分離シート４を膨らませてしまうことを防止する。そして、膨らむことで雨水分離シート４がシート上面側に形成した水層６から露出してしまうことを阻止し、雨水分離シート４の劣化促進を防ぐ。また、ガス脱臭装置８に接続したホース９をガス抜き口７に取り付け、ガス脱臭装置８を経由して脱臭されたガスを排気するようにして、ガス抜き時に、ガスが漏れて空中に放散することなくガス脱臭装置８を経由させて、悪臭を取り除いて周辺環境の改善を計る。【選択図】    図１
2005000027.tif 000002
【特許請求の範囲】
【請求項１】
スラリーの投入口および搬出口を備えた貯留槽本体と、この貯留槽本体の上面側を覆う雨水分離シートとを備え、前記貯留槽本体と雨水分離シートとの間にスラリーを貯留するための貯留空間を形成し、前記雨水分離シートの上面側に水層を形成するようにした家畜糞尿貯留施設であって、前記雨水分離シートに前記スラリーから発生するガスを排出するためのガス抜き口を設けたことを特徴とする家畜糞尿貯留施設。
【請求項２】
前記ガス抜き口を複数、分散させて配置してあることを特徴とする請求項１記載の家畜糞尿貯留施設。
【請求項３】
前記ガス抜き口にはガス脱臭装置を接続したホースが取り付けられており、前記ガス脱臭装置を経由して脱臭されたガスを排気するようにしたことを特徴とする請求項１または２記載の家畜糞尿貯留施設。
【請求項４】
前記ホースには前記ガス抜き口への取り付け部分にフロートを設けていることを特徴とする請求項１、２または３記載の家畜糞尿貯留施設。
【請求項５】
請求項１、２または３に係る家畜糞尿貯留施設の前記ガス抜き口より、前記貯留空間に空気または水を送り込むことで、前記雨水分離シートと前記貯留槽本体との付着を抑制することを特徴とする家畜糞尿貯留施設の使用方法。
【発明の詳細な説明】
【０００１】
【発明の属する技術分野】
この発明は、家畜の液状糞尿（以下、スラリーと言う）を貯留する家畜糞尿貯留施設に関するものである。
【０００２】
【従来の技術】
上部を開放した簡易な貯留槽では、槽内部のスラリーからの悪臭や、槽内部のスラリー上面におけるスラッグ発生や、槽内部への雨水流入が問題となる。また、上方に屋根を付けてしまう形式の貯留槽では高価な施設になってしまう。
【０００３】
これらのことから、家畜糞尿貯留施設としては、前記簡易な貯留槽の開放された上面側を雨水分離シートで覆うもの、例えば、特開２００１−１８６８２５号公報が知られている。
【０００４】
このような家畜糞尿貯留施設では、上面側を雨水分離シートで覆うことで貯留槽を密閉し、悪臭などが槽外部へ出ないようにしていると共に、雨水等が槽内部に入り込まないようにしている。また、この家畜糞尿貯留施設では、雨水分離シートのバタつきはシート上に雨水などを溜めることにより防いでいると共に、シート上の余剰水はポンプで排出している。
【０００５】
【特許文献】
特開２００１−１８６８２５号公報
【０００６】
【発明が解決しようとする課題】
貯留施設におけるスラリーの貯留と搬出のサイクルは、一般的に年２〜３回であるため、貯留槽の内部にはかなりの量のスラリーから発生した多量のガスが溜まることになる。
【０００７】
そのため、前述した従来の家畜糞尿貯留施設では、スラリーから発生するガスによって雨水分離シートの中央部などが膨らみ、その膨らんだ部分のシートが雨水分離シート上の水層の水面から露出してしまうことになる。
【０００８】
詳述すると、雨水分離シート上に雨水等が溜まった場合、図４に示すように、雨水分離シート３０は、必ずしも水平に展開せずに波打った状態で、スラリー３１と水層３２との間に存在する。特に、貯留槽３３の周縁部に沿って、水層３２がスラリー３１を押しのけて垂れ下がった状態となることが多い。
【０００９】
このような状態の場合に、図５に示すように、中央部分３４でスラリー３１から発生したガスは、シート下の一部に溜まり、雨水分離シート３０を水層３２の水面上に膨れあがらせる。この水面から露出した雨水分離シート３０は、紫外線や気温変動などの悪影響が作用して、シート劣化が促進されることになる。
【００１０】
このシート劣化が促進されてしまうと、スラリーの品質劣化や、スラリー利用時の搬出がスムーズに行えず搬出作業の支障となる等の問題が起きることにもなる。
【００１１】
この発明は前述した事情に鑑みて創案されたもので、その目的はスラリーを貯留している貯留槽の上面側を雨水分離シートで覆って塞いでも、スラリーから発生するガスを確実に抜くことができて、ガスによって雨水分離シートが膨らんでしまうことを防止できる家畜糞尿貯留施設の提供にある。
【００１２】
【課題を解決するための手段】
この発明（請求項１の発明）での家畜糞尿貯留施設は、スラリーを貯留している貯留槽本体の上面側を覆う雨水分離シートに、スラリーから発生するガスを排出するためのガス抜き口を設けている。
【００１３】
このようなこの発明の家畜糞尿貯留施設によれば、雨水分離シートにガス抜き口を設けておくことにより、貯留槽本体と雨水分離シートとの間のスラリーを貯留するための貯留空間に大量のガスが溜まり、雨水分離シートを膨らませてしまうことを防止できる。
【００１４】
このことから、この発明の家畜糞尿貯留施設では、膨らむことで雨水分離シートがシート上面側に形成した水層から露出してしまうことを阻止できて、シートの劣化促進を防ぐことができる。
【００１５】
また、請求項３の発明のように、ガス脱臭装置に接続したホースをガス抜き口に取り付け、ガス脱臭装置を経由して脱臭されたガスを排気するようにすれば、ガス抜き時に、ガスが漏れて空中に放散することなくガス脱臭装置を経由でき、悪臭を取り除いて周辺環境の改善を計ることができる。
【００１６】
さらに、請求項５の発明のように、貯留空間に、ガス抜き口より空気または水を送り込むことで、雨水分離シートと貯留槽本体との付着を抑制するようにすれば、例えば、貯留槽が空になった時の底面のスラリースラッグ等により、雨水分離シートが貯留槽本体の底面に固着した場合に、その引き剥がしを容易とすることができる。
【００１７】
【発明の実施の形態】
以下、この発明の家畜糞尿貯留施設を図示する実施形態によって説明する。
【００１８】
家畜糞尿貯留施設１は、図１に示すように、スラリー２の投入口および搬出口（図示せず）を備えた貯留槽本体３と、この貯留槽本体３の上面側を覆う雨水分離シート４とを備えている。また、貯留槽本体３と雨水分離シート４との間にはスラリー２を貯留するための貯留空間５を形成していると共に、雨水分離シート４の上面側には水層６を形成している。
【００１９】
そして、この発明での家畜糞尿貯留施設１は、雨水分離シート４に、スラリー２から発生するガスを排出するためのガス抜き口７を設けている（請求項１の発明）。
【００２０】
この実施形態では、ガス抜き口７を複数、分散させて配置してある（請求項２の発明）と共に、ガス抜き口７にはガス脱臭装置８を接続したホース９が取り付けられて、ガス脱臭装置８を経由して脱臭されたガスを排気するようにしている（請求項３の発明）。
【００２１】
この実施形態でのホース９には、ガス抜き口７への取り付け部分にフロート１０を設けている（請求項４の発明）。このフロート１０は、ホース９のガス抜き口７との取り付け部を水層６の水面近くに浮上させて、ガス抜き効率を向上させるものである。
【００２２】
この実施形態での貯留槽本体３は、コンクリート製、金属製、ＦＲＰ製などに限定されず、特に図示しないが、地面を掘って遮水シートを張ったものでもよい。
【００２３】
この実施形態でのガス脱臭装置８としては、生物脱臭装置、燃焼脱臭装置、吸着脱臭装置などの畜産用の脱臭装置（図示せず）を用いることが考えられる。
【００２４】
例えば、生物脱臭装置の一例として「ロックウール脱臭装置」は、小さな小屋の中にロックウールを充填し撒水した中を臭気が通過する構造としており、ロックウールに付着した微生物によって臭気を吸着分解し無臭化するものである。
【００２５】
なお、脱臭機能を重視する場合は、雨水分離シート４の周縁部をオープンではなく、貯留槽本体３の壁上部や壁裏面にアンカープレート等（図示せず）で固定し、臭気が放散されるのを防ぐ構造（図２参照）とする。この場合は、周縁部の一カ所または数カ所に、ガス脱臭装置８に接続したホース９を設置する。
【００２６】
このような構成からなるこの発明の家畜糞尿貯留施設によれば、雨水分離シート４にガス抜き口７を設けておくことにより、貯留槽本体３と雨水分離シート４との間のスラリー２を貯留するための貯留空間５に大量のガスが溜まり、雨水分離シート４を膨らませてしまうことを防止できる。
【００２７】
そのため、膨らむことで雨水分離シート４がシート上面側に形成した水層６から露出してしまうことを阻止できて、シートの劣化促進を防ぐことができる。
【００２８】
また、ガス脱臭装置８に接続したホース９をガス抜き口７に取り付け、ガス脱臭装置８を経由して脱臭されたガスを排気するようにすれば、ガス抜き時に、ガスが漏れて空中に放散することなくガス脱臭装置８を経由でき、悪臭を取り除いて周辺環境の改善を計ることができる。
【００２９】
さらに、ガス抜き口７を複数、分散させて配置してあるので、例えば、雨水分離シート４の中央部からもガスの排出が可能となる。
【００３０】
図３は、この発明（請求項５の発明）の家畜糞尿貯留施設１の使用方法を示すものである。この使用方法では、家畜糞尿貯留施設１のガス抜き口７より、貯留空間５に空気または水を送り込むことで、雨水分離シート４と貯留槽本体３との付着を抑制する。
【００３１】
即ち、この家畜糞尿貯留施設１の使用方法は、貯留槽本体３を長期間、空にしたままで放置し、例えば、雨水分離シート４と貯留槽本体３の底面３ａとがスラリースラッグ等によって固着した場合において、雨水分離シート４と貯留槽本体３の底面３ａとを剥離させる時に用いるものである。
【００３２】
具体的には、図３に示すように、ガス抜き口７より貯留空間５に空気または水を送り込むときに、雨水分離シート４と貯留槽本体３の底面３ａとが固着した部分近くのガス抜き口７に注入した空気または水が集中するように調整する。
【００３３】
この調整は、固着していない部分近くのガス抜き口７には空気または水が回らないように、例えば、クリップ等によってホース９の途中を折り曲げておくことで行う。
【００３４】
そして、固着した部分近くのガス抜き口７から、雨水分離シート４と貯留槽本体３の底面３ａとの間に、空気または水を圧入して、雨水分離シート４と貯留槽本体３の底面３ａとを剥離する。
【００３５】
このように、この発明（請求項５の発明）の家畜糞尿貯留施設１の使用方法によれば、貯留槽本体３の底面３ａのスラリースラッグ等により、例えば、雨水分離シート４が貯留槽本体３の底面３ａに固着したときに、その引き剥がしを容易にすることができる。
【００３６】
【発明の効果】
この発明の家畜糞尿貯留施設によれば、雨水分離シートにガス抜き口を設けることにより、貯留槽本体と雨水分離シートとの間のスラリーを貯留するための貯留空間に大量のガスがたまり、雨水分離シートを膨らませてしまうことを防止できる。
【００３７】
そのため、膨らむことで雨水分離シートがシート上面側に形成した水層から露出してしまうことを阻止できて、シートの劣化促進を防ぐことができる。
【００３８】
また、ガス脱臭装置に接続したホースをガス抜き口に取り付け、ガス脱臭装置を経由して脱臭されたガスを排気するようにすれば、ガス抜き時に、ガスが漏れて空中に放散することなくガス脱臭装置を経由でき、悪臭を取り除いて周辺環境の改善を計ることができる。
【図面の簡単な説明】
【図１】この発明の家畜糞尿貯留施設を示す概略図である。
【図２】この発明の家畜糞尿貯留施設の別形態を示す概略図である。
【図３】この発明の家畜糞尿貯留施設の使用方法を示す概略図である。
【図４】従来の家畜糞尿貯留施設を示す概略図である。
【図５】従来の家畜糞尿貯留施設を示す概略図である。
【符号の説明】
１    家畜糞尿貯留施設
２    スラリー
３    貯留槽本体
３ａ  底面
４    雨水分離シート
５    貯留空間
６    水層
７    ガス抜き口
８    ガス脱臭装置
９    ホース
１０  フロート
【図１】
2005000027.tif 000003
【図２】
2005000027.tif 000004
【図３】
2005000027.tif 000005
【図４】
2005000027.tif 000006
【図５】
2005000027.tif 000007